(57)【特許請求の範囲】
【請求項１】
内容物が収容される容器本体と、
該容器本体の口部に離脱自在に装着されたキャップと、
前記口部内に配設された収容筒部を有する内部材と、を備え、
前記収容筒部の下端には、前記容器本体内に連通する連通筒部が連設され、
前記キャップが離脱された前記口部に、前記容器本体内の内容物を吐出孔から吐出する吐出器が取り付けられ、該吐出器のうち、内部が前記吐出孔に連通する基筒部が、前記連通筒部に装着された状態で前記収容筒部内に収容される付け替え容器であって、
前記内部材は、前記口部に固定されるとともに前記キャップに離脱自在に装着され、
前記内部材と前記キャップとの間には、前記収容筒部内と外部との前記キャップの内側を通した連通を遮断するシール部が設けられていることを特徴とする付け替え容器。
【請求項２】
請求項１記載の付け替え容器であって、
前記キャップは、前記口部に離脱自在に装着された有頂筒状の本体筒部と、該本体筒部の頂壁部から下方に延設されるとともに前記収容筒部内に離脱自在に嵌合された嵌合筒部と、を備え、
該キャップには、前記嵌合筒部の内周面と、前記本体筒部の頂壁部の下面と、を連結するリブが設けられていることを特徴とする付け替え容器。
【発明の詳細な説明】
【技術分野】
【０００１】
本発明は、付け替え容器に関する。
【背景技術】
【０００２】
従来から、例えば下記特許文献１に示されるような、内容物が収容される容器本体を備え、この容器本体の口部に吐出器が取り付けられる付け替え容器が知られている。この付け替え容器は、口部に離脱自在に装着されたキャップと、口部内に嵌合された中栓と、を備えている。中栓は、口部内に嵌合された筒基体と、筒基体に連設された栓体保持筒と、を備えており、この栓体保持筒内に抜栓可能な栓部材が装着されている。
この付け替え容器の口部に吐出器を取り付けるときには、キャップを口部から離脱させた後、吐出器を、シリンダの下端に連設された吸込筒側から筒基体内に進入させる。そして、吸込筒を栓体保持筒内に進入させ、この吸込筒により栓部材を抜栓しながら、吸込筒を栓体保持筒内に嵌合させる。このとき、吐出器のシリンダは、筒基体内に収容される。
このようにして付け替え容器の口部に取り付けられた吐出器では、吸込筒が中栓の栓体保持筒内に嵌合されているので、容器本体内の内容物が、吸込筒と栓体保持筒との間を通って中栓の筒基体内に流入し難く、吐出器のシリンダの表面に内容物が付着し難くなる。これにより、例えば吐出器の付け替えを好適に行う等することができる。
【先行技術文献】
【特許文献】
【０００３】
【特許文献１】特開２００４−１４９１９５号公報
【発明の概要】
【発明が解決しようとする課題】
【０００４】
しかしながら、前記従来の付け替え容器では、栓体保持筒内に栓部材を設ける必要があり、構造の簡素化に改善の余地がある。
【０００５】
本発明は、前述した事情に鑑みてなされたものであって、その目的は、吐出器の基筒部の表面に内容物が付着することを抑えつつ、構成を簡素化することができる付け替え容器を提供することである。
【課題を解決するための手段】
【０００６】
前記課題を解決するために、本発明は以下の手段を提案している。
本発明に係る付け替え容器は、内容物が収容される容器本体と、該容器本体の口部に離脱自在に装着されたキャップと、前記口部内に配設された収容筒部を有する内部材と、を備え、前記収容筒部の下端には、前記容器本体内に連通する連通筒部が連設され、前記キャップが離脱された前記口部に、前記容器本体内の内容物を吐出孔から吐出する吐出器が取り付けられ、該吐出器のうち、内部が前記吐出孔に連通する基筒部が、前記連通筒部に装着された状態で前記収容筒部内に収容される付け替え容器であって、前記内部材は、前記口部に固定されるとともに前記キャップに離脱自在に装着され、前記内部材と前記キャップとの間には、前記収容筒部内と外部との前記キャップの内側を通した連通を遮断するシール部が設けられていることを特徴とする。
【０００７】
この発明では、内容物を充填するときには、まず容器本体内に内容物を収容した後、この容器本体の口部に、内部材がキャップに装着されてなるキャップと内部材との組付体を装着させる。このとき、前記組付体のうち、内部材の収容筒部を口部内に進入させるとともに内部材を口部に固定させながら、口部にキャップを装着させる。ここで、内部材とキャップとの間に前記シール部が設けられているので、このように口部内に収容筒部を進入させる過程で、収容筒部が容器本体内の内容物中に進入しても、収容筒部内の空気が収容筒部の上端部からキャップの内側を通して外部に流出することが抑制され、容器本体内の内容物が収容筒部内に流入することが抑えられる。
【０００８】
また、この付け替え容器に吐出器を取り付けるときには、まず、キャップを口部から離脱させる。ここで、このキャップには、内部材が離脱自在に装着され、かつ内部材が、口部に固定されており、前述のようにキャップを口部から離脱させるときには、内部材が口部に固定された状態が維持され、キャップが口部および内部材から離脱される。
その後、吐出器の基筒部を内部材の収容筒部内に進入させて収容するとともに内部材の連通筒部に装着させながら、吐出器を容器本体の口部に取り付ける。これにより、容器本体内の内容物は、吐出器の基筒部と内部材の連通筒部との連結部分、および基筒部内を通って吐出孔から吐出されることとなる。
以上のように、吐出器の基筒部が、内部材の連通筒部に装着された状態で内部材の収容筒部内に収容されるので、容器本体内の内容物が、基筒部と連通筒部との間を通って収容筒部内に流入され難くなり、基筒部の表面に内容物を付着させ難くすることができる。
【０００９】
以上より、この付け替え容器によれば、内部材内に栓部材を設けなくても、吐出器の基筒部の表面に内容物が付着するのを抑えることが可能になり、構造の簡素化を図ることができる。
【００１０】
また、前記キャップは、前記口部に離脱自在に装着された有頂筒状の本体筒部と、該本体筒部の頂壁部から下方に延設されるとともに前記収容筒部内に離脱自在に嵌合された嵌合筒部と、を備え、該キャップには、前記嵌合筒部の内周面と、前記本体筒部の頂壁部の下面と、を連結するリブが設けられていても良い。
【００１１】
この場合、キャップに前記リブが設けられているので、容器本体の口部に前記組付体を装着させるときに、キャップと内部材との組み付き状態を確実に維持することができる。これにより、内部材の収容筒部内と外部とのキャップの内側を通した連通を確実に遮断し、前記組付体を容器本体の口部に円滑に装着させることができる。
【発明の効果】
【００１２】
本発明に係る付け替え容器によれば、吐出器の基筒部の表面に内容物が付着することを抑えつつ、構成を簡素化することができる。
【図面の簡単な説明】
【００１３】
【図１】本発明の一実施形態に係る付け替え容器を示す縦断面図である。
【図２】図１に示す付け替え容器の要部の拡大断面図である。
【図３】図１に示す付け替え容器の容器本体の口部に吐出器を取り付けてなる吐出容器を示す縦断面図である。
【発明を実施するための形態】
【００１４】
以下、図面を参照し、本発明の一実施形態に係る付け替え容器を説明する。
図１に示すように、付け替え容器１は、内容物が収容される容器本体２と、該容器本体２の口部２ａに離脱自在に装着されたキャップ３と、上端部が口部２ａ内に配設された収容筒部４を有する内部材５と、を備えている。
【００１５】
ここで容器本体２、キャップ３および収容筒部４は、それぞれの中心軸線が共通軸上に位置した状態で配設されている。以下では、この共通軸を容器軸Ｏといい、容器軸Ｏに沿った方向を上下方向といい、容器軸Ｏ方向に直交する方向を径方向といい、容器軸Ｏ回りに周回する方向を周方向という。また、上下方向に沿った容器本体２の口部２ａ側を上側、容器本体２の底部２ｂ側を下側という。
【００１６】
容器本体２は、弾性変形可能な外側容器６と、可撓性を具備する内側容器７と、が剥離可能に積層されてなるいわゆるデラミボトルである。この容器本体２の口部２ａは、外側容器６の口部６ａと内側容器７の口部７ａとが積層されてなり、外側容器６の口部６ａの外周面には雄ねじ８が形成されるとともに、外側容器６の口部６ａにおいて雄ねじ８よりも下側に位置する部分には、内側容器７と外側容器６との間に外気を吸入する吸気孔９が形成されている。
【００１７】
内部材５は、容器本体２の口部２ａに固定されるとともにキャップ３に離脱自在に装着されている。本実施形態では、内部材５は、前記収容筒部４と、収容筒部４の上端から径方向の外側に突設され外側部分が口部２ａの上端開口縁上に位置する外フランジ部１１と、外フランジ部１１の外周縁から下方に延設され口部２ａにおいて前記雄ねじ８よりも上側に位置する上端部に外嵌する外嵌筒部１２と、外フランジ部１１から下方に延設され前記口部２ａ内に嵌合されたシール筒部１３と、収容筒部４の下端から径方向の内側に突設された内フランジ部１４と、収容筒部４の下端に内フランジ部１４を介して連設され、内フランジ部１４の内周縁から下方に延設された吸込筒部１５と、収容筒部４の下端に内フランジ部１４を介して連設され、内フランジ部１４の内周縁から上方に延設された連通筒部１６と、を備えている。
なお図示の例では、外フランジ部１１、外嵌筒部１２、シール筒部１３、内フランジ部１４、吸込筒部１５、および連通筒部１６は、容器軸Ｏと同軸に配設されている。
【００１８】
収容筒部４の下端部は、容器本体２の胴部２ｃにおける上下方向の中央部内に位置している。また吸込筒部１５の下端部は、容器本体２の胴部２ｃにおける下端部内に位置しており、容器本体２の底部２ｂから上方に離間している。そして連通筒部１６は、収容筒部４の径方向の内側に位置し、図示の例では、収容筒部４の下端部内に配置されており、吸込筒部１５内を通して容器本体２内に連通している。
【００１９】
また図２に示すように、外嵌筒部１２には固定部１０が形成されており、内部材５は、容器本体２の口部２ａに該固定部１０を介して固定されている。固定部１０は、外嵌筒部１２の内周面から径方向の内側に突出する凸状に形成されており、容器本体２の口部２ａの前記上端部に形成された被固定部１７に固定されている。図示の例では、被固定部１７は、口部２ａの前記上端部から径方向の外側に突設されており、固定部１０は、この被固定部１７に下方から係合している。
【００２０】
図１に示すように、キャップ３は、容器本体２の口部２ａの外周面に離脱自在に装着された有頂筒状の本体筒部１８と、該本体筒部１８の頂壁部１８ａから下方に延設されるとともに内部材５の収容筒部４の上端部内に離脱自在に嵌合された嵌合筒部１９と、を備えている。本体筒部１８の内周面には、口部２ａの前記雄ねじ８に螺着された雌ねじ１８ｂが形成されている。嵌合筒部１９の下端は、本体筒部１８の下端と上下方向の位置が同等とされている。
【００２１】
またこのキャップ３には、嵌合筒部１９の内周面と、本体筒部１８の頂壁部１８ａの下面と、を連結するリブ２０が、周方向に間隔をあけて複数設けられている。図示の例では、リブ２０は、表裏面が上下方向および径方向の双方向に沿って延在する板状に形成されるとともに、下方から上方に向かうに従い漸次、径方向に沿った大きさが大きくなる正面視直角三角形状に形成されている。
【００２２】
図２に示すように、嵌合筒部１９の外周面には、内部材５の収容筒部４の内周面に形成された被係合部２１に、離脱自在に係合される係合部２２が形成されている。図示の例では、係合部２２は、嵌合筒部１９の外周面から径方向の外側に突出する凸状に形成されるとともに、被係合部２１は、収容筒部４の上端部の内周面に径方向の外側に窪む凹状に形成されており、係合部２２が被係合部２１内に配置されている。係合部２２と被係合部２１との係合力は、内部材５の前記固定部１０と容器本体２の口部２ａの前記被固定部１７との係合力よりも弱くなっている。
【００２３】
そして本実施形態では、内部材５とキャップ３との間には、内部材５の収容筒部４内と外部とのキャップ３の内側を通した連通を遮断するシール部２３が設けられている。図示の例では、シール部２３は、内部材５の外フランジ部１１の前記外側部分から上方に突出するとともに周方向に延在する環状に形成されており、キャップ３の前記頂壁部１８ａの下面に周方向の全周にわたって当接している。
【００２４】
次に、図１に示すような付け替え容器１内に内容物を充填する方法について説明する。
まず、容器本体２内に内容物を収容した後、この容器本体２の口部２ａに、内部材５がキャップ３に装着されてなるキャップ３と内部材５との組付体を装着させる。このとき、前記組付体のうち、内部材５を吸込筒部１５側から口部２ａ内に進入させて前記口部２ａ内に収容筒部４の上端部を配置するとともに、内部材５の固定部１０と口部２ａの被固定部１７とを互いに乗り越えさせて係合させることにより内部材５を口部２ａに固定させながら、口部２ａにキャップ３を装着させる。
【００２５】
ここで、内部材５とキャップ３との間にシール部２３が設けられているので、このように口部２ａ内に内部材５を吸込筒部１５側から進入させる過程で、吸込筒部１５が容器本体２内の内容物中に進入しても、吸込筒部１５内、連通筒部１６内および収容筒部４内の空気が、収容筒部４の上端部からキャップ３の内側を通して外部に流出するのが抑制され、容器本体２内の内容物が、吸込筒部１５内、連通筒部１６内および収容筒部４内に流入することが抑えられる。さらに、キャップ３に前記リブ２０が設けられているので、キャップ３と内部材５との組み付き状態を確実に維持することが可能になり、内部材５の収容筒部４内と外部とのキャップ３の内側を通した連通を確実に遮断することができる。
【００２６】
次に図３に示すような、キャップ３が離脱された容器本体２の口部２ａに、容器本体２内の内容物を吐出孔３３から吐出する吐出器３１が取り付けられてなる吐出容器３０について説明する。
【００２７】
吐出器３１は、前記口部２ａに着脱自在に装着される有頂筒状の装着キャップ３４と、装着キャップ３４に貫設され、上端部が装着キャップ３４から上方に突出するとともに下端部４０が連通筒部１６に装着されたシリンダ（基筒部）３５と、該シリンダ３５内に収容され、上方付勢状態で押込み可能に起立した図示しないステムと、装着キャップ３４よりも上方に配置されるとともに前記ステムの上端部に装着され、前記吐出孔３３が形成された押下ヘッド３６と、シリンダ３５の上端部に装着され、押下ヘッド３６が押下された状態で螺着され該押下ヘッド３６の上方への移動を規制する規制部材３７と、を備えている。
【００２８】
装着キャップ３４の内周面には、容器本体２の口部２ａの前記雄ねじ８に螺着された雌ねじ３４ｂが形成されている。
シリンダ３５の上端部に下側から連なる部分の外周面には取付けフランジ部３８が径方向の外側に突設されている。この取付けフランジ部３８は、装着キャップ３４の頂壁部３４ａと、内部材５の外フランジ部１１と、の間に挟み込まれている。さらに図示の例では、シリンダ３５の取付けフランジ部３８と、内部材５の外フランジ部１１と、の間には環状のパッキン３９が挟み込まれている。
【００２９】
シリンダ３５において取付けフランジ部３８よりも下側に位置する部分は、内部材５の収容筒部４内に収容されている。
シリンダ３５の下端部４０は、連通筒部１６に離脱自在に外嵌されている。また図示の例では、シリンダ３５の下端部４０は、シリンダ３５においてこの下端部４０よりも上側に位置する部分よりも縮径しており、下端部４０の外周面には、周方向に間隔をあけて複数の縦リブ４０ａが形成されている。
そして、このシリンダ３５内は、前記ステム内および押下ヘッド３６を通して吐出孔３３に連通している。
【００３０】
この吐出容器３０を使用するときには、まず、規制部材３７と押下ヘッド３６との螺着を解除する。すると、前記ステムに作用する上方付勢力により、前記ステムおよび押下ヘッド３６が上方に移動する。その後、前記上方付勢力に抗して押下ヘッド３６を押下すると、容器本体２内の内容物が、内部材５の吸込筒部１５内および連通筒部１６内（連通筒部１６とシリンダ３５の下端部４０との連結部分）、吐出器３１のシリンダ３５内、前記ステム内、および押下ヘッド３６内を流通した後、吐出孔３３から吐出される。
なお、吸込筒部１５の下端部は、容器本体２の底部２ｂに近接していることが好ましく、吸込筒部１５の下端部と容器本体２の底部２ｂとの間隔が狭い程、吐出器３１により容器本体２内の内容物を残らず吐出することができる。
【００３１】
以上のように構成された吐出容器３０では、シリンダ３５の下端部４０が、内部材５の連通筒部１６に外嵌された状態で、シリンダ３５が、内部材５の収容筒部４内に収容されているので、容器本体２内の内容物が、シリンダ３５の下端部４０と内部材５の連通筒部１６との間を通って内部材５の収容筒部４内に流入され難くなり、吐出器３１のシリンダ３５の表面に内容物を付着させ難くすることができる。
【００３２】
次に、図１に示すような付け替え容器１に吐出器３１を取り付け、図３に示すような吐出容器３０を形成する方法について説明する。
まず図１に示すように、付け替え容器１のキャップ３を容器本体２の口部２ａから離脱させる。ここで、このキャップ３の嵌合筒部１９は、内部材５の収容筒部４内に離脱自在に嵌合され、かつ内部材５が、口部２ａに固定部１０を介して固定されており、前述のようにキャップ３を口部２ａから離脱させるときには、内部材５が口部２ａに固定された状態が維持され、キャップ３が口部２ａおよび内部材５から離脱される。つまり、図２に示された状態からキャップ３と口部２ａとの螺着を解除すると、内部材５の前記固定部１０と口部２ａの前記被固定部１７との係合が維持されつつ、キャップ３の前記係合部２２と内部材５の前記被係合部２１との係合が解除され、キャップ３のみが口部２ａから離脱される。
その後、図３に示すように、吐出器３１のシリンダ３５を内部材５の収容筒部４内に進入させて収容するとともにこのシリンダ３５の下端部４０を連通筒部１６に外嵌させながら、吐出器３１の装着キャップ３４を容器本体２の口部２ａに取り付ける。
【００３３】
以上説明したように、本実施形態に係る付け替え容器１によれば、内部材５内に栓部材を設けなくても、吐出器３１のシリンダ３５の表面に内容物が付着するのを抑えることが可能になり、構造の簡素化を図ることができる。
また、キャップ３に前記リブ２０が設けられているので、容器本体２の口部２ａに前記組付体を装着させるときに、前述のようにキャップ３と内部材５との組み付き状態を確実に維持することができる。これにより、これにより、内部材５の収容筒部４内と外部とのキャップ３の内側を通した連通を確実に遮断し、前記組付体を容器本体２の口部２ａに円滑に装着させることができる。
【００３４】
なお、本発明の技術的範囲は前記実施形態に限定されるものではなく、本発明の趣旨を逸脱しない範囲において種々の変更を加えることが可能である。
例えば、吐出器３１は、前記実施形態に示したものに限られず、適宜構成を変更することが可能である。
【００３５】
また、前記実施形態では、シール部２３は、内部材５の外フランジ部１１の前記外側部分から上方に突出しているものとしたが、内部材５とキャップ３との間に、内部材５の収容筒部４内と外部とのキャップ３の内側を通した連通を遮断するように形成されていれば、適宜構成を変更することが可能である。例えば、シール部２３が、内部材５のうち、外フランジ部１１以外の部分に形成されていても良い。またシール部２３が、キャップ３に設けられていても良く、内部材５およびキャップ３にそれぞれ設けられていても良く、つまり内部材５およびキャップ３のうちの少なくとも一方に設けられていても良く、さらに内部材５およびキャップ３と異なる部材で形成されていても良い。
【００３６】
また前記実施形態では、キャップ３に前記リブ２０が周方向に間隔をあけて複数設けられているものとしたが、１つであっても良い。さらに、リブ２０はなくても良い。
また前記実施形態では、キャップ３が、本体筒部１８と嵌合筒部１９とを備えているものとしたが、これに限られるものではない。またキャップ３が、容器本体２の口部２ａに螺着により装着されているものとしたが、これに限られるものではなく、例えばキャップ３が口部２ａに打栓により装着されても良い。
【００３７】
また前記実施形態では、内部材５が、外フランジ部１１、および外嵌筒部１２を備え、外嵌筒部１２に固定部１０が形成されているものとしたが、内部材５が、容器本体２の口部２ａに固定されていれば、適宜構成を変更することが可能である。
【００３８】
また前記実施形態では、内部材５が、内フランジ部１４を備えているものとしたが、これに限られるものではなく、例えば、内部材５の収容筒部４の下端部が下方に向かうに従い漸次、縮径していても良い。そして、内部材５の連通筒部１６が、内フランジ部１４を介さずに収容筒部４の下端に連設されていても良い。
【００３９】
また前記実施形態では、内部材５の吸込筒部１５が、内フランジ部１４の内周縁から下方に延設されているものとしたが、これに限られるものではない。例えば、吸込筒部１５が、収容筒部４と同径とされ、収容筒部４の下端に内フランジ部１４を介さずに連設されていても良い。さらに、吸込筒部１５はなくても良い。
【００４０】
さらに前記実施形態では、内部材５の連通筒部１６が、収容筒部４の下端から上方に延設されているものとしたが、これに限られるものではない。例えば、連通筒部１６が、収容筒部４の下端から下方に延設され、吐出器３１のシリンダ３５の下端部４０が、連通筒部１６内に嵌合されても良い。
【００４１】
また前記実施形態では、容器本体２は、可撓性の外側容器６と内側容器７とが剥離可能に積層されてなるいわゆるデラミボトルであるものとしたが、これに限られるものではなく、容器本体２が、積層されていない１つの容器体からなる構成であっても良く、可撓性を具備していなくても良い。
なお、容器本体２の形態に応じて、各種部材に空気通路（外気導入孔）などの必要な公知の機能、構成を適宜採用することができる。
【００４２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４３】
１  付け替え容器
２  容器本体
２ａ  口部
３  キャップ
４  収容筒部
５  内部材
１０  固定部
１６  連通筒部
１８  本体筒部
１８ａ  頂壁部
１９  嵌合筒部
２０  リブ
２３  シール部
３１  吐出器
３３  吐出孔
３５  シリンダ（基筒部）
【図１】
0005450320.tif 000002
【図２】
0005450320.tif 000003
【図３】
0005450320.tif 000004